(57)【要約】      （修正有）【課題】静電気が接地リンクに隣接する導線に流れて、導線回路や電極が損傷することがない複数個の接地リンクを有するタッチパネルを提供する。【解決手段】透明基板と、電極２４，２６と導線２８，２９、及び少なくとも２つの接地リンク２０，２２が透明基板上にある。導線は電極に接続されて検知信号を伝送する。少なくとも２つの接地リンクは電極と導線を囲繞して設けられ、２つの接地リンクの間は複数個のブリッジ部２３で連接され、ブリッジ部には静電気を放電し易いよう局所電場の強度を増強するための少なくとも１つの静電気放電の先端を備える。【選択図】図２
0003188264.tif 000002
【実用新案登録請求の範囲】
【請求項１】
透明基板と、
前記透明基板上にあって、導線を電極に接続して検知信号を伝送する電極と導線と、
前記透明基板上にあって前記電極と前記導線を囲繞して設けられ、２つの接地リンクの間は静電気放電をし易いよう局所電場の強度を増強するための少なくとも１つの静電気放電の先端を備えた複数個のブリッジ部で連接された少なくとも２つの接地リンクと、を備えることを特徴とする、
タッチパネル。
【請求項２】
前記ブリッジ部の形状は２つの先端が接続された三角形を含むことを特徴とする請求項１に記載のタッチパネル。
【請求項３】
前記接地リンクはＩＴＯ、ＩＺＯ、ＡＺＯ又はＡＴＯを含むことを特徴とする請求項１に記載のタッチパネル。
【請求項４】
前記静電気放電の先端の形状は局所電場強度の増強が可能な如何なる幾何形状をも含むことを特徴とする請求項１に記載のタッチパネル。
【請求項５】
前記タッチパネルは単一ガラス式タッチパネル又は単一フィルム式タッチパネルを含むことを特徴とする請求項１に記載のタッチパネル。
【考案の詳細な説明】
【技術分野】
【０００１】
本考案は、複数個の接地リンクを有するタッチパネルに関する。
【背景技術】
【０００２】
タッチパネルはセンサ技術の違いにより、主として抵抗感圧式、静電容量式、及び光学式等のタッチパネルに区分される。
静電容量式のタッチパネルは反応時間が速く、信頼性が良好で、耐用性が高い等の長所があり、静電容量式のタッチパネルは幅広く使用されるタッチパネルとなっている。静電容量式のタッチパネルは主に容量カップリング効果でタッチ位置を検知する。手指が静電容量式のタッチパネルの表面に接触すると、対応する位置の静電容量が変化するため、タッチ位置を検知することができる。
【０００３】
静電容量式タッチパネルはガラス基板に透明の導電材料からなる電極とタッチ回路を備えることから、タッチ回路は常に製造工程やその他の原因による静電気の放電現象で損傷する。このため、タッチパネルは静電気の放電現象による損傷防止のため、静電気放電の防護設計を備える必要がある。
【０００４】
図１は静電容量式タッチパネルの上面図である。静電容量式タッチパネルはガラス基板に電極かならる誘導タッチ領域と、誘導タッチ領域を囲繞する接地リンク（ｇｒｏｕｎｄ  ｒｉｎｇ）１２を備える。電極はそれぞれ互いに垂直の２方向に延在する複数個の電極によって直列に構成され、直列のセンサは複数個の第１電極１４と複数の導線１８を含む。別の直列のセンサも複数個の第２電極１６、複数の導線１９と複数個のブリッジ部１７を含み、各ブリッジ部１７はそれぞれ２つの隣接する第２電極１６を電気的に接続する。接地リンク１２は電極１４、１６、導線１８、１９、及び接合領域１１を囲繞して、静電気放電の防護設計を達成している。
【考案の概要】
【考案が解決しようとする課題】
【０００５】
しかしながら、前述した従来のタッチパネル技術では、上記の静電気放電の防護設計は電極とその導線の周囲に接地リンクを配置したに留まり、相当な程度まで静電気放電の防護機能を達成できたものの、依然として静電気放電が起きるリスクがあり、静電気の電流が接地リンクに隣接する導線に流れて、導線回路や電極が損傷する可能性があるといった問題があった。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、タッチパネルを提供することを主目的とする。即ち、タッチパネルの静電気放電の防護能力を増強するための複数の接地リンク設計を備える。
【課題を解決するための手段】
【０００８】
上記課題を解決し目的を達成するために、本考案に係るタッチパネルは、  透明基板と、前記透明基板上にあって、導線を電極に接続して検知信号を伝送する電極と導線と、前記透明基板上にあって前記電極と前記導線を囲繞して設けられ、２つの接地リンクの間は静電気放電をし易いよう局所電場の強度を高めるための少なくとも１つの静電気放電の先端を備えた複数個のブリッジ部で連接された少なくとも２つの接地リンクと、を備えることを特徴とする。
【図面の簡単な説明】
【０００９】
【図１】本考案に係る静電容量式タッチパネルを説明する上面図である。
【図２】本考案の実施例１によるタッチパネルを説明する上面図である。
【考案を実施するための形態】
【００１０】
本考案における好適な実施の形態について、添付図面を参照して説明する。尚、以下に説明する実施の形態は、実用新案登録請求の範囲に記載された本発明の内容を限定するものではない。また、以下に説明される構成の全てが、本考案の必須要件であるとは限らない。
【実施例１】
【００１１】
以下、実施例１を図１及び図２に基づいて説明する。図２は本考案の実施例１によるタッチパネルを説明する上面図である。実施例１では、好ましくは単一ガラス式（ＯＧＳ：ｏｎｅ  ｇｌａｓｓ  ｓｏｌｕｔｉｏｎ）或いは単一フィルム式（ｏｎｅ  ｆｉｌｍ  ｓｕｂｓｔｒａｔｅ／ｓｏｌｕｔｉｏｎ、  ＯＦＳ）タッチパネルに適用されるが、これに限定されるものではない。
【００１２】
図２に示すように、静電容量式タッチパネルはガラス基板に電極からなる誘導タッチ領域と、誘導タッチ領域を囲繞して互いに接続する第１接地リンク２０と第２接地リンク２２を備える。ガラス基板には更に導線２８、２９を備え、第１電極２４と第２電極２６に接続されて、接合領域２１を経て検知信号が伝送される。電極はそれぞれ互いに垂直の２方向に延在する複数個の電極によって導線で直列に構成され、直列のセンサは複数個の第１電極２４を含む。
別の直列のセンサも複数個の第２電極２６と複数個のブリッジ部２７を含み、各ブリッジ部２７はそれぞれ２つの隣接する第２電極２６を電気的に接続する。第１電極２４と第２電極２６からなる直列の電極はそれぞれ受信電極（Ｒｘ）と送信電極（Ｔｘ）とすることができる。
【００１３】
なお、第１接地リンク２０と第２接地リンク２２は電極２４、２６と導線２８を囲繞して外部の静電気をシャットアウトする。第１接地リンク２０と第２接地リンク２２の間には大気中に静電気を放電し易い様にブリッジ部を備えて、効果的に静電気を消耗させて、静電気放電の防護を行う。
【００１４】
第１接地リンク２０と第２接地リンク２２の間のブリッジ部２３は主に静電気放電に用いられる。ブリッジ部２３の形状は局所電場の強度が増強可能などんな幾何形状でもよいが、一般的には幅が次第に縮減して狭まる幾何形状である。
図２に示されたブリッジ部２３の形状は２つの三角形であり、２つの三角形は先端が連接されて局所電場の強度が増強されるが、これに限定されない。また、図２に示された２つの接地リンク２０、２２の外形と数量もまた範例に過ぎない。即ち、電極と導線を囲繞する３つ以上の接地リンクを備えることもできる。
【００１５】
電極は導電材料からなる構造を含む。透明の導電材料はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＡＺＯ（Ａｌ−ｄｏｐｅｄ  ＺｎＯ）又はＡＴＯ（ａｎｔｉｍｏｎｙ  ｔｉｎ  ｏｘｉｄｅ）、ナノ銀又はナノ銅等でよい。
【００１６】
接地リンク２２は、ＩＴＯ、ＩＺＯ、ＡＺＯ又はＡＴＯといった導電材料を含み、どのような方法でもタッチパネルの側辺に形成されて、タッチパネルを囲繞するが、これに限定されない。
【００１７】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。
従って、本考案の精神を逸脱せずに行う各種の同様の効果をもつ改良又は変更は、後述の請求項に含まれるものとする。
【符号の説明】
【００１８】
１１  接合領域
１２  接地リンク
１４  第１電極
１６  第２電極
１７  ブリッジ部
１８  導線
１９  導線
２０  第１接地リンク
２１  接合領域
２２  第２接地リンク
２３  ブリッジ部
２４  電極
２６  電極
２７  ブリッジ部
２８  導線
２９  導線
【図１】
0003188264.tif 000003
【図２】
0003188264.tif 000004
【手続補正書】
【提出日】平成25年11月11日(2013.11.11)
【手続補正１】
【補正対象書類名】実用新案登録請求の範囲
【補正対象項目名】全文
【補正方法】変更
【補正の内容】
【実用新案登録請求の範囲】
【請求項１】
透明基板と、
前記透明基板上にあって、導線を電極に接続して検知信号を伝送する電極と導線と、
前記透明基板上にあって前記電極と前記導線を囲繞して設けられ、２つの接地リンクの間は静電気放電をし易いよう局所電場の強度を増強するための少なくとも１つの静電気放電の先端を備えた複数個のブリッジ部で連接された少なくとも２つの接地リンクと、を備えることを特徴とする、
タッチパネル。
【請求項２】
前記ブリッジ部の形状は２つの先端が接続された三角形を含むことを特徴とする請求項１に記載のタッチパネル。
【請求項３】
前記接地リンクはＩＴＯ、ＩＺＯ、ＡＺＯ又はＡＴＯを含むことを特徴とする請求項１に記載のタッチパネル。
【請求項４】
前記静電気放電の先端の形状は幅が次第に減縮して狭まる幾何学的形状であることを特徴とする請求項１に記載のタッチパネル。
【請求項５】
前記タッチパネルは単一ガラス式タッチパネル又は単一フィルム式タッチパネルを含むことを特徴とする請求項１に記載のタッチパネル。